(57)【要約】      （修正有）【課題】開口部に対する引戸の取付位置にかかわらず、引戸に容易に取り付けることができ、かつ、構造がシンプルな引戸錠装置を提供する。【解決手段】引戸錠装置１は、ケース２と、ケース２の外部に、ケース２に対して直線移動可能に取り付けられ、操作部材３と、操作部材３に接続され、操作部材３の操作に伴ってケース２内で直線移動するスライダ４と、スライダ４に接続され、スライダ４の移動に伴って移動するロッド部材５と、ケース２に固定される鎌錠ユニット６とを備えている。【選択図】図２
0003215075.tif 000002
【実用新案登録請求の範囲】
【請求項１】
引戸に取り付けられ、ロック操作およびアンロック操作により、前記引戸をロックおよびアンロックする引戸錠装置であって、前記引戸錠装置が、
前記引戸に取り付けられるケースと、
前記ケースの外部に、前記ケースに対して直線移動可能に取り付けられ、前記引戸をロックおよびアンロックする際に操作される操作部材と、
前記操作部材に接続され、前記操作部材の操作に伴って前記ケース内で直線移動するスライダと、
前記スライダに接続され、前記スライダの移動に伴って移動するロッド部材と、
前記ケースに固定される鎌錠ユニットとを備え、
前記鎌錠ユニットは、
前記ロッド部材に係合し、前記ロッド部材の移動に伴い軸周りに旋回する鎌部材と、
前記鎌部材を出没自在に収容し、前記ケースに取り付けられるハウジングとを備え、
前記ケースは、前記引戸に取り付けられた際に前記引戸の表面と略平行となる第１の面と、前記第１の面に略平行に設けられた第２の面とを有し、
前記第１の面および第２の面のそれぞれに前記鎌錠ユニットのハウジングを取り付け可能であり、前記第１の面および第２の面のそれぞれに、前記鎌部材を前記ロッド部材に係合接続するための第１開口部および第２開口部が設けられている、引戸錠装置。
【請求項２】
前記第１の面および前記第２の面に、前記鎌錠ユニットのハウジングと係合可能な係合孔が形成され、
前記ハウジングが、前記係合孔と係合する係合突部を有している、請求項１記載の引戸錠装置。
【考案の詳細な説明】
【技術分野】
【０００１】
本考案は、引戸錠装置に関する。
【背景技術】
【０００２】
近年、バリアフリーなどの要請から、開き戸を引戸に変更することへの要望が増加している。このように、既設の開き戸を引戸に変更する場合、たとえば、開き戸を取り外し、アウトセット引戸を取り付けることが多い。
【０００３】
このようなアウトセット引戸は施錠する必要がある場合、引戸の引き手の近傍に錠前が設けられ、引戸により閉鎖される開口部の枠や開口部周辺の壁に錠受けが設けられる。これにより、引戸の施錠を行うことができる。このようなアウトセット引戸の引戸錠装置の一例が特許文献１に開示されている。
【０００４】
特許文献１の引戸錠装置は、サムタンを操作して回転伝達軸を回転させると、回転伝達軸の回転が、ケース内に設けられた運動変換手段によって直線運動に変換されて、ケース内の摺動体を上下に移動させる。この摺動体の上下運動によって、ケースの一方の面に固定された鎌部材を出没させて、引戸の施錠・解錠を行なっている。
【先行技術文献】
【特許文献】
【０００５】
【特許文献１】実用新案登録第３１６５１６９号公報
【考案の概要】
【考案が解決しようとする課題】
【０００６】
しかし、特許文献１の引戸錠装置は、鎌部材がケースの一方の面のみから突出するように構成され、他方の面から鎌部材を突出させることができない。そのため、たとえば、壁の開口部の出入り方向で一方側に引戸を取り付ける予定であったものが、急遽現場で予定とは逆方向（開口部の出入り方向で他方側）に引戸を取り付けることになった場合に、同じ引戸錠装置では対応することができない。すなわち、特許文献１の引戸錠装置では、ケースの一方の面のみから鎌部材が突出するため、引戸の取付位置が開口部に対して反対側になった場合、ケースの他方の面から鎌部材が突出するように製造された別の引戸錠装置が必要になる。したがって、現場での柔軟な対応が困難となる。
【０００７】
また、特許文献１の引戸錠装置は、回転運動を直線運動に変換するために、機構が複雑となり、部品点数が多くなる。そのため、引戸錠装置のケースが大型化するだけでなく、引戸錠装置の製造コストが上昇してしまう。
【０００８】
そこで、本考案はかかる問題点に鑑みて、開口部に対する引戸の取付位置にかかわらず、引戸に容易に取り付けることができ、かつ、構造がシンプルな引戸錠装置の提供を目的とする。
【課題を解決するための手段】
【０００９】
本考案の引戸錠装置は、引戸に取り付けられ、ロック操作およびアンロック操作により、前記引戸をロックおよびアンロックする引戸錠装置であって、前記引戸錠装置が、前記引戸に取り付けられるケースと、前記ケースの外部に、前記ケースに対して直線移動可能に取り付けられ、前記引戸をロックおよびアンロックする際に操作される操作部材と、前記操作部材に接続され、前記操作部材の操作に伴って前記ケース内で直線移動するスライダと、前記スライダに接続され、前記スライダの移動に伴って移動するロッド部材と、前記ケースに固定される鎌錠ユニットとを備え、前記鎌錠ユニットは、前記ロッド部材に係合し、前記ロッド部材の移動に伴い軸周りに旋回する鎌部材と、前記鎌部材を出没自在に収容し、前記ケースに取り付けられるハウジングとを備え、前記ケースは、前記引戸に取り付けられた際に前記引戸の表面と略平行となる第１の面と、前記第１の面に略平行に設けられた第２の面とを有し、前記第１の面および第２の面のそれぞれに前記鎌錠ユニットのハウジングを取り付け可能であり、前記第１の面および第２の面のそれぞれに、前記鎌部材を前記ロッド部材に係合接続するための第１開口部および第２開口部が設けられていることを特徴とする。
【００１０】
また、前記第１の面および前記第２の面に、前記鎌錠ユニットのハウジングと係合可能な係合孔が形成され、前記ハウジングが、前記係合孔と係合する係合突部を有していることが好ましい。
【考案の効果】
【００１１】
本考案の引戸錠装置によれば、構造がシンプルとなり、かつ、開口部に対する引戸の取付位置にかかわらず、引戸に容易に取り付けることができる。
【図面の簡単な説明】
【００１２】
【図１】本考案の引戸錠装置が取り付けられた引戸構造を示す斜視図である。
【図２】本考案の引戸錠装置の正面図である。
【図３】図２のIII−III線断面図である。
【図４】（ａ）は、図２に示される引戸錠装置のケースのケース本体の正面図であり、（ｂ）はケース本体の側面図である。
【図５】（ａ）は、図２に示される引戸錠装置のケースの蓋部材の正面図であり、（ｂ）は蓋部材の側面図である。
【図６】図２に示される引戸錠装置に、鎌錠ユニットおよび操作部材が取り付けられる前の状態を示す図である。
【図７】本考案の引戸錠装置のケースへの鎌錠ユニットの取り付けを説明するための図である。
【図８】本考案の引戸錠装置の鎌部材の動作を示す図である。
【考案を実施するための形態】
【００１３】
以下、図面を参照し、本考案の一実施形態の引戸錠装置を詳細に説明する。なお、以下の実施形態はあくまで一例であり、本考案の引戸錠装置は、以下の実施形態に限定されるものではない。
【００１４】
図１に示されるように、本考案の引戸錠装置１は、引戸Ｄに取り付けられ、後述するロック操作およびアンロック操作により、引戸Ｄをロックおよびアンロックする。本実施形態では、引戸錠装置１は引戸構造Ｓに適用されている。引戸構造Ｓは、壁面Ｗに設けられた開口Ａの上部側に設けられた引戸レールＲと、引戸レールＲに吊り下げられた引戸Ｄとを有している。本実施形態では、引戸レールＲは、壁部Ｗの一方の面に沿って引戸Ｄが移動するように設けられ、引戸Ｄは、引戸Ｄの移動経路が壁部Ｗの表面からオフセットしているアウトセット引戸である。なお、引戸Ｄおよび引戸構造Ｓは、アウトセット引戸に限定されるものではなく、本実施形態の引戸錠装置１は、他の種類の引戸や引戸構造に適用されてもよい。
【００１５】
本実施形態では、引戸錠装置１は、錠受け１１を有している。引戸Ｄは、引戸Ｄが開口Ａを閉鎖するときに（図１に閉鎖状態の引戸Ｄを二点鎖線で示している）、引戸Ｄの戸先側（引き手Ｈを有する側）が壁部Ｗと重なりを有するように構成され、錠受け１１は、壁部Ｗのうち、引戸Ｄの閉鎖時に引戸Ｄと重なる部位に取り付けられている。錠受け１１は、引戸錠装置１の後述する鎌部材６１の突出位置に対応する高さに設けられる。
【００１６】
引戸錠装置１は、図２および図３に示されるように、引戸Ｄに取り付けられるケース２と、操作部材３と、スライダ４と、ロッド部材５とを有している。
【００１７】
ケース２は、操作部材３が直接または間接的に取り付けられ、スライダ４およびロッド部材５を収容する。ケース２は、本実施形態では、扁平な箱状に形成されている。ケース２は、図４および図５に示されるように、一方が開口した薄い箱状のケース本体２１と、ケース本体２１内に、スライダ４やロッド部材５などが収容された後に、ケース本体２１の開口を塞ぐ蓋部材２２とを有している。ケース本体２１と蓋部材２２とはネジ等の公知の固定部材により固定される。
【００１８】
ケース２は、図３に示されるように、引戸Ｄに取り付けられた際に引戸Ｄの表面と略平行となる第１の面２Ａと、第１の面２Ａに略平行に設けられた第２の面２Ｂとを有している。本実施形態では、蓋部材２２の外表面が第１の面２Ａを構成し、ケース本体２１の外表面が第２の面２Ｂを構成している。第１の面２Ａおよび第２の面２Ｂは、引戸Ｄに引戸錠装置１が取り付けられたときに、引戸Ｄの表面と略平行となる面である。なお、第１の面２Ａおよび第２の面２Ｂは、図示する態様に限定されるものではなく、本実施形態のように全体が平坦であってもよいし、部分的に平坦であってもよい。
【００１９】
図４および図５に示されるように、ケース２は、スライダ４を案内するためのガイド穴Ｈ１、Ｈ２を有している。本実施形態では、ガイド穴Ｈ１、Ｈ２は直線状に形成されている。より具体的には、ガイド穴Ｈ１、Ｈ２は、上下方向に延在し、スライダ４を上下方向に沿って案内する。
【００２０】
ケース２は、後述する鎌錠ユニット６の鎌部材６１と、ケース２内のロッド部材５とを係合接続できるように、接続用開口部Ｈ３（第１開口部Ｈ３１、第２開口部Ｈ３２）を有している。また、ケース２は、後述する鎌錠ユニット６の係合突部６２ａ、６２ｂと係合する係合孔Ｈ４を有している。
【００２１】
本実施形態では、ケース２には、図４および図５に示されるように、第１の面２Ａと第２の面２Ｂとの両方に、第１開口部Ｈ３１、第２開口部Ｈ３２が同様の形状で設けられている。また、ケース２には、図４および図５に示されるように、第１の面２Ａと第２の面２Ｂとの両方に、ガイド穴Ｈ１、Ｈ２、係合孔Ｈ４が同様の形状で設けられている。
【００２２】
操作部材３は、引戸Ｄのロック時およびアンロック時に使用者により操作される部材である。操作部材３は、ケース２の外部にケース２に対して直線移動可能に取り付けられる。操作部材３は、ケース２に直接取り付けられてもよいし、間接的に取り付けられてもよい。操作部材３は、使用者により操作されて直線移動すると、操作部材３に接続されたスライダ４を直線移動させる。操作部材３は、本実施形態では、図３に示されるように、上下操作時に指が引っ掛かるように、表面に複数の突部が山状に形成されたものが示されているが、操作部材３の形状は特に限定されない。
【００２３】
また、本実施形態では、図３に示されるように、ケース２の第１の面２Ａ側と第２の面２Ｂ側の両方に、引戸Ｄのロックおよびアンロック時に操作される第１操作部材３１および第２操作部材３２を有している。この場合、引戸Ｄの両面側からのロック操作／アンロック操作が可能となる。本実施形態では、第１操作部材３１と第２操作部材３２とは同一の形状として示されているが、異なる形状であってもよい。たとえば、第１操作部材３１はケース２の第１の面２Ａおよび第２の面２Ｂのうち一方に設けられた通常のロック／アンロック操作用のつまみとし、第２操作部材３２は、他方の面に、非常時などに治具などを用いて操作できるようにし、使用者の指では操作しにくいように構成されていてもよい。
【００２４】
操作部材３とスライダ４との接続方法は特に限定されず、操作部材３を操作するとスライダ４が移動するものであればよい。本実施形態では、図３に示されるように、スライダ４に設けられた貫通孔４１に操作部材３と接続されたピンＰが挿通されることにより、操作部材３とスライダ４とが接続されている。
【００２５】
スライダ４は、操作部材３に接続され、操作部材３の操作に伴ってケース２内で直線移動する。スライダ４は、本実施形態ではケース２に案内されて直線移動するように構成されている。具体的には、スライダ４は、図６に示されるように、ガイド穴Ｈ１と係合して案内される第１摺動部４２と、ガイド穴Ｈ２と係合して案内される第２摺動部４３とを有している。スライダ４が、第１摺動部４２および第２摺動部４３を有し、ガイド穴Ｈ１およびＨ２の２か所で案内されることにより、スライダ４が安定して直線移動することができる。なお、第２摺動部４３には、スライダ４の上昇位置と下降位置との両方で、スライダ４を保持するためのトーションバネＳＰの一端が接続されている。トーションバネＳＰの他端は、ケース２に設けられた突起２Ｐに接続されている。トーションバネＳＰは、スライダ４が上昇位置にあるときに、スライダ４を上方に向かって付勢し、スライダ４が下降位置にあるときには、スライダ４を下方に向かって付勢するように取り付けられる。
【００２６】
ロッド部材５は、スライダ４に接続され、スライダ４の移動に伴って移動する。したがって、ロッド部材５は、操作部材３が操作され、スライダ４が上下方向に直線移動すると、スライダ４と一体的にロッド部材５も上下方向に直線移動する。ロッド部材５は、図６に示されるように、スライダ４からスライダ４の移動方向（図６における上下方向）に対して垂直方向に延びている。
【００２７】
また、引戸錠装置１は、図７に示されるように、ケース２に固定される鎌錠ユニット６を備えている。鎌錠ユニット６は、図７および図８に示されるように、ロッド部材５に係合し、ロッド部材５の移動に伴い軸周りに旋回する鎌部材６１と、鎌部材６１を出没自在に収容し、ケース２に取り付けられるハウジング６２とを備えている。
【００２８】
鎌部材６１は、ハウジング６２から出没し、ハウジング６２から突出したときに錠受け１１と係合して、引戸Ｄをロックする（図８の二点鎖線参照）。鎌部材６１は、図７および図８に示されるように、ロッド部材５と係合してロッド部材５に接続される係合接続部６１ａと、鎌部材６１の旋回中心となる軸支部６１ｂと、錠受け１１に係合する鎌部６１ｃとを有している。また、鎌部材６１は、軸支部６１ｂから係合接続部６１ａに向かって延びる第１アーム部６１ｄと、軸支部６１ｂから鎌部６１ｃに向かって延びる第２アーム部６１ｅとを有している。
【００２９】
係合接続部６１ａは、図７および図８に示されるように、略Ｕ字状の溝により構成され、鎌錠ユニット６をケース２に取り付ける際にロッド部材５への係合を容易にしている。軸支部６１ｂは、ロッド部材５と略平行に水平方向に延びている（図２参照）。軸支部６１ｂは、ハウジング６２に固定され、軸支部６１ｂを中心として、係合接続部６１ａ、第１アーム部６１ｄ、第２アーム部６１ｅおよび鎌部６１ｃが回転する。鎌部６１ｃは鉤状に形成され、錠受け１１に係合したときに、引戸Ｄの開閉方向だけでなく、引戸Ｄが錠受け１１が設けられた壁部Ｗから離間する方向への移動も規制している。
【００３０】
ハウジング６２は鎌部材６１を収容し、ケース２に取り付けられる。ハウジング６２は、鎌部材６１を少なくとも部分的に収容し、鎌部材６１を軸支するように構成される。ハウジング６２は、軸支部６１ｂの両端が固定される一対の側壁部６２ｃ（図７においては手前側の側壁部のみが示されている）を有している。一対の側壁部６２ｃに垂直で、かつ、ハウジング６２がケース２に取り付けられたときにケース２に対向する側（図７において実線で示されたハウジング６２の右側）は、係合接続部６１ａと係合したロッド部材５が上下方向に直線移動することを確保するために開放し、ハウジング６２の内部とケース２の内部とは、ケース２の接続用開口部Ｈ３（第２開口部Ｈ３２）を介して連通している。一対の側壁部６２ｃに垂直で、かつ、ケース２に対向する側とは反対側（図７において実線で示されたハウジング６２の左側）の面には、鎌部６１ｃが出没するための出没孔Ｈ５（図８参照）が形成されている。また、ハウジング６２は、図２に示されるように、ケース２とハウジング６２とを固定するためにネジ等の固定部材が挿通される固定孔Ｈ６を有し、引戸錠装置１が引戸Ｄに固定される際にネジ等の固定部材が挿通される固定孔Ｈ７、Ｈ８をハウジング６２の上下方向の両端に有している。
【００３１】
また、本実施形態では、ハウジング６２は、図７に示されるように、ケース２に設けられた係合孔Ｈ４に係合する係合突部６２ａ、６２ｂを有している。係合突部６２ａ、６２ｂは、図７に示されるように、ハウジング６２のケース２と対向する側の端縁に設けられている。ハウジング６２の係合突部６２ａ、６２ｂをケース２の係合孔Ｈ４に係合させることにより、ネジなどの固定部材により固定する前にケース２に対してハウジング６２を仮止めすることができ、ケース２とハウジング６２との接続が容易になる。本実施形態では、第１係合突部６２ａは鉤状に形成され、対応する位置の係合孔Ｈ４に挿通された後、ハウジング６２を下方にスライドさせることにより、ハウジング６２のケース２に対する外れが抑制されて、ハウジング６２のケース２に対する仮保持がより確実となる。
【００３２】
つぎに、本実施形態の引戸錠装置１の組み付けおよび動作の一例について説明する。なお、以下の説明はあくまで一例であり、本考案の引戸錠装置１は以下の態様に限定されるものではない。
【００３３】
図６および図７に示されるように、スライダ４およびロッド部材５が収容されたケース２に、鎌錠ユニット６を取り付ける。具体的には、ケース２の接続用開口部Ｈ３（第２開口部Ｈ３２）を介して、ロッド部材５と鎌部材６１の係合接続部６１ａとを係合させ、ハウジング６２の係合突部６２ａ、６２ｂを、ケース２の係合孔Ｈ４に係合させる。本実施形態では、第１の面２Ａおよび第２の面２Ｂのいずれかに鎌錠ユニット６のハウジング６２を選択的に取り付け可能であり、第１の面２Ａおよび第２の面２Ｂのそれぞれに、鎌部材６１をロッド部材５に係合接続するための第１開口部Ｈ３１および第２開口部Ｈ３２が設けられている。したがって、図７に実線および二点鎖線で示されるように、引戸Ｄが壁部Ｗの開口Ａに対していずれの側に取り付けられるかに応じて、鎌錠ユニット６をケース２の第１の面２Ａに取り付けるか、第２の面２Ｂに取り付けるかを現場で選択することができる。したがって、本実施形態では、壁部Ｗの開口Ａに対する引戸Ｄの取付位置にかかわらず１つの引戸錠装置１で対応が可能となる。より具体的には、引戸Ｄの正面視で、鎌錠ユニット６を左側に位置させたい場合（引戸Ｄの閉鎖方向が左側となる場合）には、接続用開口部Ｈ３（第２開口部Ｈ３２がケース２の左側に位置するケース２の第１の面２Ａを引戸Ｄの表面側となるようにして、鎌錠ユニット６を取り付ければよい。逆に、鎌錠ユニット６を右側に位置させたい場合（引戸Ｄの閉鎖方向が右側となる場合）には、接続用開口部Ｈ３（第１開口部Ｈ３１）がケース２の右側に位置するケース２の第２の面２Ｂを引戸Ｄの表面側となるようにして、鎌錠ユニット６を取り付ければよい。
【００３４】
鎌錠ユニット６をケース２に取り付けた後（または鎌錠ユニット６をケース２に取り付ける前）は、スライダ４に設けられた貫通孔４１を介して操作部材３をスライダ４に接続する。たとえば、スライダ４の貫通孔４１に、ピンＰを挿入して操作部材３の固定部３ａとピンＰとを接続することにより、操作部材３がスライダ４に接続される。本実施形態では、第１操作部材３１および第２操作部材３２がそれぞれケース２に接続される。
【００３５】
鎌錠ユニット６および操作部材３がケース２に取り付けられた後、引戸錠装置１は引戸Ｄに取り付けられる。引戸錠装置１の形状に応じて切り欠かれた引戸Ｄの切欠部に引戸錠装置１を設置し、ネジ等の固定部材によって、引戸錠装置１が引戸Ｄに固定される。一方、壁部Ｗ側には、引戸Ｄの閉鎖位置において鎌部材６１が引戸錠装置１から突出する位置に、錠受け１１を取り付ける。これにより、引戸錠装置１の取り付けが完了する。
【００３６】
引戸錠装置１により、閉鎖位置に位置した引戸Ｄをロックする際には、操作部材３を操作する。具体的には、操作部材３を下方へと直線移動させると、操作部材３に接続されたスライダ４も下方へと直線移動する。スライダ４が下方へと直線移動すると、スライダ４に接続されたロッド部材５は下方へと水平に延びた状態を保ちながら移動する。ロッド部材５が下方へと移動すると、ロッド部材５に係合している鎌部材６１の係合接続部６１ａが下方へ向かって力を受ける。これにより、図８に二点鎖線で示されるように、鎌部材６１は、軸支部６１ｂを中心に回転して、鎌部６１ｃが錠受け１１に係合する。これにより、引戸Ｄのロック動作が完了する。本実施形態では、操作部材３から鎌部材６１までに、スライダ４およびロッド部材５が介在しているだけで、引戸錠装置１の構造が非常にシンプルとなる。そのため、引戸錠装置１に必要な部品点数を少なくすることができ、引戸錠装置１のケース２を小型化することができ、製造コストを抑制することができる。
【符号の説明】
【００３７】
１  引戸錠装置
１１  錠受け
２  ケース
２１  ケース本体
２２  蓋部材
２Ａ  第１の面
２Ｂ  第２の面
２Ｐ  突起
３  操作部材
３ａ  固定部
３１  第１操作部材
３２  第２操作部材
４  スライダ
４１  貫通孔
４２  第１摺動部
４３  第２摺動部
５  ロッド部材
６  鎌錠ユニット
６１  鎌部材
６１ａ  係合接続部
６１ｂ  軸支部
６１ｃ  鎌部
６１ｄ  第１アーム部
６１ｅ  第２アーム部
６２  ハウジング
６２ａ、６２ｂ  係合突部
６２ｃ  側壁部
Ａ  開口
Ｄ  引戸
Ｈ  引き手
Ｈ１、Ｈ２  ガイド穴
Ｈ３  接続用開口部
Ｈ３１  第１開口部
Ｈ３２  第２開口部
Ｈ４  係合孔
Ｈ５  出没孔
Ｈ６、Ｈ７、Ｈ８  固定孔
Ｐ  ピン
Ｒ  引戸レール
Ｓ  引戸構造
ＳＰ  トーションバネ
Ｗ  壁面
【図１】
0003215075.tif 000003
【図２】
0003215075.tif 000004
【図３】
0003215075.tif 000005
【図４】
0003215075.tif 000006
【図５】
0003215075.tif 000007
【図６】
0003215075.tif 000008
【図７】
0003215075.tif 000009
【図８】
0003215075.tif 000010